(57)【要約】      （修正有）【課題】多角度から全方位的に化粧効果を観察することができる化粧台を提供する。【解決手段】多角度観察機能を備えた化粧台は、台パネル５と、台パネル５の上方に立設されたメインミラー１と、メインミラー１の両側に回動可能に設けられた側面ミラー２と、メインミラー１の上方に設けられた上方ミラー３と、メインミラー１の下方に設けられた下方ミラー４と、を含み、上方ミラー３と下方ミラー４とが対向するように設けられる。側面ミラー２を回動して角度を調整することによって側面の化粧効果を観察することができ、メインミラー１と面一となるように側面ミラー２を回動させて大きなミラーを構成し、観察を容易にすることもでき、下方ミラー４から下から上への角度で化粧効果を観察することができ、上方ミラー３の下方ミラー４での結像により頭の上の化粧効果を観察することができる。【選択図】図１
0003235399.tif 000002
【実用新案登録請求の範囲】
【請求項１】
台パネル（５）と、台パネル（５）の上方に立設されたメインミラー（１）とを含む多角度観察機能を備えた化粧台であって、前記メインミラー（１）の両側にそれぞれ回動可能に設けられた側面ミラー（２）と、前記メインミラー（１）の上方に設けられた上方ミラー（３）と、前記メインミラー（１）の下方に設けられた下方ミラー（４）とをさらに含み、前記上方ミラー（３）と前記下方ミラー（４）とは対向するように設けられている、ことを特徴とする化粧台。
【請求項２】
前記メインミラー（１）、側面ミラー（２）、上方ミラー（３）及び下方ミラー（４）は、メインパネル、側面パネル、上パネル（９）および下パネル（６）にそれぞれ対応して設けられており、前記メインパネル、側面パネル、上パネル（９）、下パネル（６）およびミラーキャビネット筐体（７）は、化粧ミラーキャビネットを構成し、前記ミラーキャビネット筐体（７）が台パネル（５）に設けられており、前記メインパネルがミラーキャビネット筐体（７）の中央に位置し、２つの前記側面パネルが前記メインパネルの両側にそれぞれ設けられており、前記上パネル（９）が前記メインパネルの上方に設けられており、前記下パネル（６）がメインパネルの下方に設けられている、ことを特徴とする請求項１に記載の化粧台。
【請求項３】
２つの前記側面パネルは、前記ミラーキャビネット筐体（７）にそれぞれ垂直回動可能に取り付けられており、前記上パネル（９）は、前記ミラーキャビネット筐体（７）の頂部に水平回動可能に取り付けられており、前記下パネル（６）は、ミラーキャビネット筐体（７）に可動的に取り付けられており、前記ミラーキャビネット筐体（７）の下部と台パネル（５）との間にキャビティ（８）が形成されている、ことを特徴とする請求項２に記載の化粧台。
【請求項４】
前記下パネル（６）は、前記キャビティ（８）内を前後移動可能であり、前記キャビティ（８）内に底板（１３）が設けられており、前記底板（１３）の底面と台パネル（５）の上面との間に挟角があり、前記底板（１３）の底面の先端が前記台パネル（５）の上面と交差し、前記挟角の角度範囲が０〜５０度である、ことを特徴とする請求項３に記載の化粧台。
【請求項５】
前記底板（１３）の上面の幅方向の両端にアウターレール（１４）がそれぞれ設けられており、前記下パネル（６）の下底面にアウターレール（１４）と協働するインナーレールが対応して設けられており、前記アウターレール（１４）にロック部材が設けられている、ことを特徴とする請求項４に記載の化粧台。
【請求項６】
前記底板（１３）の前記台パネル（５）に接触する側の両端は、それぞれ前記ミラーキャビネット筐体（７）と回動的に接続され、前記底板（１３）の後端の底面に底板（１３）の後端を上下動可能にする昇降機構が接続されている、ことを特徴とする請求項４に記載の化粧台。
【請求項７】
前記昇降機構は、昇降軸（２０）、接続板（１８）、ねじ棒（１６）、ねじ棒スリーブ（１９）及びドライブ（２２）を含み、前記昇降軸（２０）が前記台パネル（５）を貫通し、前記昇降軸（２０）の他端が前記接続板（１８）に接続されており、前記接続板（１８）が前記台パネル（５）の下方に設けられており、前記接続板（１８）にねじ棒スリーブ（１９）が設けられており、前記ねじ棒スリーブ（１９）が前記ねじ棒（１６）に螺着されており、前記ねじ棒（１６）のねじ棒スリーブ（１９）から離れた一端が水平に設けられた第１の傘歯車（１５−１）の軸孔に穿設されており、前記第１の傘歯車（１５−１）の上に第２の傘歯車（１５−２）が垂直に噛合接続されており、前記第２の傘歯車（１５−２）の軸孔内に接続軸（１７）が穿設されており、前記接続軸（１７）の一端が前記化粧台の外部をはみ出すとともに接続軸（１７）を回転駆動するドライブ（２２）が設けられている、ことを特徴とする請求項６に記載の化粧台。
【請求項８】
前記下パネル（６）の後端の両側は、それぞれ前記ミラーキャビネット筐体（７）の両側と回動的に接続されており、前記下パネル（６）の上面の両側にそれぞれ前記ミラーキャビネット筐体（７）と接続された折り曲げ可能な部材が設けられており、前記折り曲げ可能な部材が第１の接続レバー（１１）と第２の接続レバー（１２）とを含み、前記第１の接続レバー（１１）の一端が前記下パネル（６）の上面とヒンジ接続されており、前記第１の接続レバー（１１）の他端が前記第２の接続レバー（１２）の一端とヒンジ接続されており、前記第２の接続レバー（１２）の他端が前記ミラーキャビネット筐体（７）とヒンジ接続されている、ことを特徴とする請求項３に記載の化粧台。
【請求項９】
前記側面パネルの回動可能な角度範囲は、０〜１６０度であり、前記上パネル（９）は、水平面に対して下方へ傾斜した方向に設けられており、前記上パネル（９）の回動可能な角度範囲は、０〜４５度である、ことを特徴とする請求項３に記載の化粧台。
【請求項１０】
台パネル（５）の下方に接続された、引き出し（１０１）と収納キャビネット（１０２）が設けられた物置戸棚（１０）をさらに含み、前記底板（１３）の底面と台パネル（５）の上面との間に存在する前記挟角の角度範囲は１５〜４５度である、ことを特徴とする請求項４に記載の化粧台。
【考案の詳細な説明】
【技術分野】
【０００１】
本考案は、家具の技術分野に関し、具体的には、多角度観察機能を備えた化粧台に関する。
【背景技術】
【０００２】
現代の家庭生活では、化粧台は、既に欠かせない家具となっている。現在の化粧台には、垂直に固定されたメインミラーが一面しか設けられておらず、ユーザーは、正面の１つの角度からしか自分の服装や身だしなみなどを観察することができず、化粧の観察角度が限られている。この問題を改善するために、メーカーは三面鏡をデザインした。このような三面鏡は、メインミラーの両側に側面ミラーを増設することによって、側面の服装や身だしなみを観察可能にする。しかし、三面鏡では頭の上の身だしなみを観察したり、下から上の角度から観察したりすることが難しく、やはり人々のニーズ、特に髪の状況に気を配る必要のある人のニーズを満たすことができない。
【考案の概要】
【０００３】
従来技術に存在している問題について、本考案は、多角度観察機能を備えた化粧台を提供する。
【０００４】
台パネルと、台パネルの上方に立設されたメインミラーとを含み、前記メインミラーの両側にそれぞれ回動可能に設けられた側面ミラーと、前記メインミラーの上方に設けられた上方ミラーと、前記メインミラーの下方に設けられた下方ミラーとをさらに含み、前記上方ミラーと前記下方ミラーとが対向するように設けられた、多角度観察機能を備えた化粧台である。
【０００５】
好ましくは、前記メインミラー、側面ミラー、上方ミラー及び下方ミラーは、メインパネル、側面パネル、上パネルおよび下パネルにそれぞれ対応して設けられており、前記メインパネル、側面パネル、上パネル、下パネルおよびミラーキャビネット筐体は、化粧ミラーキャビネットを構成し、前記ミラーキャビネット筐体は台パネル上に設けられており、前記メインパネルはミラーキャビネット筐体の中央に位置し、２つの前記側面パネルは前記メインパネルの両側にそれぞれ設けられており、前記上パネルは前記メインパネルの上方に設けられており、前記下パネルはメインパネルの下方に設けられている。
【０００６】
好ましくは、２つの前記側面パネルは、前記ミラーキャビネット筐体にそれぞれ垂直回動可能に取り付けられており、前記上パネルは、水平回動可能に前記ミラーキャビネット筐体の頂部に取り付けられており、前記下パネルは、可動的にミラーキャビネット筐体に取り付けられており、前記ミラーキャビネット筐体の下部と台パネルとの間にキャビティが形成されている。
【０００７】
好ましくは、前記下パネルは、前記キャビティ内を前後移動可能であり、前記キャビティ内に底板が設けられており、前記底板の底面と台パネルの上面との間に挟角があり、前記底板の底面の先端は前記台パネルの上面と交差し、前記挟角の角度範囲は０〜５０度である。
【０００８】
好ましくは、前記底板の上面の幅方向の両端にアウターレールがそれぞれ設けられており、前記下パネルの下底面にアウターレールと協働するインナーレールが対応して設けられており、前記アウターレールにロック部材が設けられている。
【０００９】
好ましくは、前記底板の前記台パネルに接触する側の両端は、それぞれ前記ミラーキャビネット筐体と回動的に接続され、前記底板の後端の底面に底板の後端を上下動可能にする昇降機構が接続されている。
【００１０】
好ましくは、前記昇降機構は、昇降軸、接続板、ねじ棒、ねじ棒スリーブ及びドライブを含み、前記昇降軸は前記台パネルを貫通し、前記昇降軸の他端は前記接続板に接続されており、前記接続板は前記台パネルの下方に設けられており、前記接続板にねじ棒スリーブが設けられており、前記ねじ棒スリーブは前記ねじ棒に螺着されており、前記ねじ棒のねじ棒スリーブから離れた一端が水平に設けられた第１の傘歯車の軸孔に挿通されており、前記第１の傘歯車の上に第２の傘歯車が垂直に噛合接続されており、前記第２の傘歯車の軸孔内に接続軸が挿通されており、前記接続軸の一端は前記化粧台の外部をはみ出すとともに接続軸を回転駆動するドライブが設けられている。
【００１１】
好ましくは、前記下パネルの後端の両側は、それぞれ前記ミラーキャビネット筐体の両側と回動的に接続されており、前記下パネルの上面の両側にそれぞれ前記ミラーキャビネット筐体と接続された折り曲げ可能な部材が設けられており、前記折り曲げ可能な部材は第１の接続レバーと第２の接続レバーとを含み、前記第１の接続レバーの一端は前記下パネルの上面とヒンジ接続されており、前記第１の接続レバーの他端は前記第２の接続レバーの一端とヒンジ接続されており、前記第２の接続レバーの他端は前記ミラーキャビネット筐体とヒンジ接続されている。
【００１２】
好ましくは、前記側面パネルの回動可能な角度範囲は、０〜１６０度であり、前記上パネルは、水平面に対して下方へ傾斜した方向に設けられており、前記上パネルの回動可能な角度範囲は、０〜４５度である。
【００１３】
好ましくは、台パネルの下方と接続された、引き出しと収納キャビネットが設けられた物置戸棚をさらに含み、前記挟角の角度範囲は、１５〜４５度である。
【００１４】
本考案の有益な効果として、
本考案は、台パネルと、台パネルの上方に立設されたメインミラーと、メインミラーの両側に回動可能に設けられた側面ミラーと、メインミラーの上方に設けられた上方ミラーと、メインミラーの下方に設けられた下方ミラーと、を含み、前記上方ミラーと下方ミラーとが対向するように設けられ、上方ミラーが下方ミラーの反射で観察可能である、多角度観察機能を備えた化粧台を提供する。該多角度観察機能を備えた化粧台は、側面ミラーを回動して角度を調整することによって側面の化粧効果を観察することができ、メインミラーと面一となるように側面ミラーを回動させて大きなミラーを構成しユーザーの観察を容易にすることもでき、且つ、下方ミラーから下から上への角度で化粧効果を観察することができ、また、上方ミラーの下方ミラーでの結像により頭の上の化粧効果を観察することができ、これにより、多角度から全方位的に化粧効果を観察することができる。
【図面の簡単な説明】
【００１５】
【図１】本考案の実施例１の全体構造模式図である。
【図２】本考案の実施例１のキャビティは角度が０度よりも大きいときの局部構造模式図である。
【図３】本考案の実施例１の昇降機構の構造模式図である。
【図４】本考案の実施例２の全体構造模式図である。
【考案を実施するための形態】
【００１６】
当業者が本考案の内容をよりよく理解できるように、以下、添付図面と実施形態を参照して本考案について詳しく説明するが、この部分の説明は、単なる例示と説明であり、本考案の保護範囲に何ら規制的な役割を果たすものではない。
【００１７】
＜実施例１＞
図１〜図３に示すように、台パネル５と、台パネル５の上方に立設された、ユーザーの正面角度を映すためのメインミラー１とを含み、前記メインミラー１の両側にそれぞれ回動可能に設けられた側面ミラー２と、前記メインミラー１の上方に設けられた上方ミラー３と、前記メインミラー１の下方に設けられた下方ミラー４とをさらに含み、前記上方ミラー３と前記下方ミラー４とが対向するように設けられた、多角度観察機能を備えた化粧台である。該側面ミラー２は、回動して角度を調整することによって側面の化粧効果を観察することができ、メインミラー１と面一となるように回動して大きなミラーを構成しユーザーの観察を容易にすることもでき、該下方ミラー４は、下から上への角度で化粧効果を観察することができ、上方ミラー３は、下方ミラー４での結像により頭の上の化粧効果を観察することによって、多角度から全方位的に化粧や身だしなみ効果を観察することができる。
【００１８】
前記メインミラー１、側面ミラー２、上方ミラー３及び下方ミラー４は、メインパネル、側面パネル、上パネル９および下パネル６にそれぞれ対応して設けられており、前記メインパネル、側面パネル、上パネル９、下パネル６およびミラーキャビネット筐体７は、化粧ミラーキャビネットを構成し、前記ミラーキャビネット筐体７が台パネル上５に設けられており、前記メインパネルがミラーキャビネット筐体７の中央に位置し、２つの前記側面パネルは前記メインパネルの両側にそれぞれ設けられており、前記上パネル９は前記メインパネルの上方に設けられており、前記下パネル６はメインパネルの下方に設けられている。
【００１９】
具体的には、２つの前記側面パネルは、前記ミラーキャビネット筐体７にそれぞれ垂直回動可能に取り付けられており、前記上パネル９は、水平回動可能に前記ミラーキャビネット筐体７の頂部に取り付けられており、前記下パネル６は、可動的にミラーキャビネット筐体７に取り付けられており、前記ミラーキャビネット筐体７の下部と台パネル５との間にキャビティ８が形成されている。
【００２０】
さらに具体的には、キャビネット筐体７は、後方に設けられた背板と、背板の両側に接続された外側板７０１と、両外側板７０１の間に設けられた天板７０２及び中間板７０３とを含む。前記メインパネルのヘッドとテイルは、天板７０２と中間板７０３にそれぞれ固定されており、前記側面パネルのメインパネルに近い側のヘッドとテイルは、天板７０２と中間板７０３にそれぞれ回動可能に取り付けられており、回動軸で取り付けられたり、ルーズリーフで取り付けられたりでき、側面パネルは、ミラーキャビネット筐体７の背板、天板７０２、中間板７０３および外側板７０１と物品を収納するキャビネットを形成することができ、側面パネルを該キャビネットの扉とすることができる。開けやすいように、側面パネルの末端に溝を設けることができる。
【００２１】
具体的には、前記ミラーキャビネット筐体７の外側板７０１の下方と台パネル５との間にキャビティ８が形成されている。
【００２２】
好ましくは、前記側面パネルの回動可能な角度範囲は、０〜１６０度であり、前記上パネル９は、水平面に対して下方へ傾斜した方向に取り付けられており、前記上パネル９の回動可能な角度範囲は、０〜４５度である。
【００２３】
好ましくは、前記下パネル６は、前記キャビティ８内を前後移動可能であり、使い易くするために、下パネル６の後端に溝２１が設けられており、前記キャビティ８内に底板１３が設けられており、前記底板１３の底面と台パネル５の上面との間に挟角があり、前記底板１３の底面の先端が前記台パネル５の上面と交差し、前記挟角の角度範囲が０〜５０度であり、好ましくは、前記挟角の角度範囲は、５〜４５度であり、より好ましくは、前記挟角の角度範囲は、１５〜４５度である。
【００２４】
好ましくは、前記底板１３の上面の幅方向の両端にアウターレール１４がそれぞれ設けられており、前記下パネル６の下底面にアウターレール１４と協働するインナーレールが対応して設けられており、前記アウターレール１４にロック部材が設けられており、下パネル６は、底板１３の表面に沿って移動可能であり、アウターレール１４は、ボールアウターレール１４であることが好ましく、それに応じ、インナーレールは、ボールインナーレールであることが好ましく、ロック部材は、係止ロック部材であることが好ましく、ロック部材で下パネル６を所望の位置に固定することができる。
【００２５】
好ましくは、前記底板１３の前記台パネル５に接触する側の両端は、それぞれ前記ミラーキャビネット筐体７と回動的に接続され、前記底板１３の後端の底面に底板１３の後端を上下動可能にする昇降機構が接続されている。このように設けると、昇降機構によって底板１３と台パネル５との間の角度を調節することができる。
【００２６】
具体的には、前記昇降機構は、昇降軸２０、接続板１８、ねじ棒１６、ねじ棒スリーブ１９及びドライブ２２を含み、前記昇降軸２０が前記台パネル５を貫通し、前記昇降軸２０の他端が前記接続板１８に接続されており、前記接続板１８が前記台パネル５の下方に設けられており、前記接続板１８にねじ棒スリーブ１９が設けられており、前記ねじ棒スリーブ１９が前記ねじ棒１６に螺着されており、前記ねじ棒１６のねじ棒スリーブ１９から離れた一端が水平に設けられた第１の傘歯車１５−１の軸孔に挿通されており、前記第１の傘歯車１５−１の上に第２の傘歯車１５−２が垂直に噛合接続されており、前記第２の傘歯車１５−２の軸孔内に接続軸１７が挿通されており、前記接続軸１７の一端が前記化粧台の外部をはみ出すとともに接続軸１７を回転駆動するドライブ２２が設けられている。
【００２７】
さらに、底板１３の上下動をさらに安定にするために、前記底板１３の底面の後端両側に対称な２本の昇降軸２０がそれぞれ接続されており、それに応じて互いに垂直に噛合して設けられた第１の傘歯車１５−１と第２の傘歯車１５−２が対称に２組設けられており、立設されたねじ棒１６も対称に２本設けられており、両側に設けられた第２の傘歯車１５−２が接続軸１７を介して接続されており、このようにドライブ２２で駆動することで両側の第２の傘歯車１５−２を同時に回動させることができ、第１の傘歯車１５−１とねじ棒１６を駆動させ、ねじ棒スリーブ１９によって接続板１８を上下動させるように駆動することによって、昇降軸２０と底板１３の後端を上下動させるように駆動する。ドライブ２２は、ハンドルまたはハンドホイールのいずれかを選択できる。
【００２８】
好ましくは、上記多角度観察機能を備えた化粧台は、台パネル５の下方に接続された物置戸棚１０をさらに含み、前記物置戸棚１０は、引き出し１０１と収納キャビネット１０２を含み、収納キャビネット１０２は、引き出し１０１の下方の一方側に設けられており、引き出し１０１の下方の他方側に収納ベンチ１０３を収容する空間が設けられている。
【００２９】
さらに使い易くするために、メインミラー１の周りにランプバンドを設けることもできる。
【００３０】
＜実施例２＞
本実施例と実施例１との相違点は、
前記下パネル６の後端の両側は、それぞれ前記ミラーキャビネット筐体７の両側と回動的に接続されており、前記下パネル６の上面の両側にそれぞれ前記ミラーキャビネット筐体７と接続された折り曲げ可能な部材が設けられており、前記折り曲げ可能な部材が第１の接続レバー１１と第２の接続レバー１２とを含み、前記第１の接続レバー１１の一端が前記下パネル６の上面とヒンジ接続されており、前記第１の接続レバー１１他端が前記第２の接続レバー１２の一端とヒンジ接続されており、前記第２の接続レバー１２の他端が前記ミラーキャビネット筐体７とヒンジ接続されている点にある。
【００３１】
具体的には、前記下パネル６の後端の両側は、それぞれ前記ミラーキャビネット筐体７の外側板７０１の内側と水平に回動的に接続されている。
【００３２】
下方ミラー４を使用する場合は、キャビネット筐体７の外側板７０１から遠ざけるように下パネル６を回動させることができ、下方ミラー４を使用しない場合は、外側板７０１と面一になるように下パネル６を回動させ、キャビティ８を密閉状態にすることができる。
【００３３】
上記実施例は、本考案の好ましい実現手段であるが、これ以外にも、本考案は、他の形態で実現することができ、本考案の思想を逸脱することなく、何れかの明らかな置換は、本考案の保護範囲内にある。
【符号の説明】
【００３４】
１  メインミラー
２  側面ミラー
３  上方ミラー
４  下方ミラー
５  台パネル
６  下パネル
７  ミラーキャビネット筐体
７０１  外側板
７０２  天板
７０３  中間板
８  キャビティ
９  上パネル
１０  物置戸棚
１０１  引き出し
１０２  収納キャビネット
１０３  収納ベンチ
１１  第１の接続レバー
１２  第２の接続レバー
１３  底板
１４  アウターレール
１５−１  第１の傘歯車
１５−２  第２の傘歯車
１６  ねじ棒
１７  接続軸
１８  接続板
１９  ねじ棒スリーブ
２０  昇降軸
２１  溝
２２  ドライブ
【図１】
0003235399.tif 000003
【図２】
0003235399.tif 000004
【図３】
0003235399.tif 000005
【図４】
0003235399.tif 000006